(57)【要約】【課題】入金処理直後の入金取消処理で、顧客が投入した紙幣と同一の紙幣を排出するための手段を提供する。【解決手段】紙幣入出金口８に投入された紙幣を鑑別する紙幣鑑別部４１と、千円券を収納する紙幣収納庫４２ａと、その他の金種の紙幣を収納する紙幣収納庫４２ｂとを有する自動釣銭機１であって、入金取消処理を行う際に直前の入金処理で紙幣入出金口８に投入された紙幣の各金種の枚数をＰＯＳレジスタ１５から受信し、その金種と枚数に基づいて、紙幣収納庫４２ａ、４２ｂの少なくとも一方から紙幣を繰出して紙幣入出金口８から排出する。【選択図】図３
2010277485.tif 000002
【特許請求の範囲】
【請求項１】
紙幣入出金口に投入された紙幣を鑑別する鑑別部と、該鑑別部で鑑別した紙幣の内、特定の１金種の紙幣を収納する第１の収納庫と、その他の金種の紙幣を混在させて収納する第２の収納庫とを有し、ＰＯＳレジスタと接続してＰＯＳレジスタからの指示に従って入出金処理を実行する自動釣銭機であって、
入金処理の直後に入金取消処理が入力され、前記入金処理で前記紙幣入出金口に投入された紙幣の各金種の枚数を前記ＰＯＳレジスタから受信したとき、その金種と枚数に基づいて、前記第１の収納庫と前記第２の収納庫の少なくとも一方から紙幣を繰出して前記紙幣入出金口から排出することを特徴とする自動釣銭機。
【請求項２】
請求項１に記載の自動釣銭機において、
入金取消処理のとき、前記第１の収納庫と前記第２の収納庫の少なくとも一方から繰出した紙幣を前記鑑別部で鑑別し、金種不明の紙幣があったときは前記ＰＯＳレジスタに金種不明の紙幣を排出した旨の通知を送信することを特徴とする自動釣銭機。
【発明の詳細な説明】
【技術分野】
【０００１】
本発明は、スーパーマーケットやコンビニエンスストア等の店舗において使用されるＰＯＳレジスタに接続する自動釣銭機に関する。
【背景技術】
【０００２】
従来の自動釣銭機は、入金された紙幣を金種ごとに収納するために、千円券を収納する紙幣収納庫Ａと、５千円券を収納する紙幣収納庫Ｂ、１万円券を収納する紙幣収納庫Ｃの３つの紙幣収納庫を有している（例えば、特許文献１参照。）。
【先行技術文献】
【特許文献】
【０００３】
【特許文献１】特開２００７−３４５２３号公報（段落「００１５」、図２）
【発明の開示】
【発明が解決しようとする課題】
【０００４】
しかしながら、従来の技術では以下の問題がある。一般に、ＰＯＳレジスタでは入金処理を行った直後にその入金処理を取り消して入金された紙幣を返却する入金取消処理を行う場合があり、入金取消処理では係員によってＰＯＳレジスタの操作表示部で返却紙幣の金額入力がなされ、その金額を自動釣銭機がＰＯＳレジスタから受信すると、受信した金額に基づいて各紙幣収納庫から紙幣を繰出している。
【０００５】
この場合、従来の自動釣銭機では、入金処理で５千円券が投入されていた場合、入金取消処理を行う際に紙幣収納庫から繰出す紙幣は５千円券ではなく、千円券で返却する等、直前の入金処理の際に投入された紙幣と別の金種の紙幣に代えて返却する場合があるという問題がある。
【０００６】
本発明は、上記の問題点を解決するための手段を提供することを目的とする。
【課題を解決するための手段】
【０００７】
本発明は、上記課題を解決するために、紙幣入出金口に投入された紙幣を鑑別する鑑別部と、該鑑別部で鑑別した紙幣の内、特定の１金種の紙幣を収納する第１の収納庫と、その他の金種の紙幣を混在させて収納する第２の収納庫とを有し、ＰＯＳレジスタと接続してＰＯＳレジスタからの指示に従って入出金処理を実行する自動釣銭機であって、入金処理の直後に入金取消処理が入力され、前記入金処理で前記紙幣入出金口に投入された紙幣の各金種の枚数を前記ＰＯＳレジスタから受信したとき、その金種と枚数に基づいて、前記第１の収納庫と前記第２の収納庫の少なくとも一方から紙幣を繰出して前記紙幣入出金口から排出することを特徴とする。
【発明の効果】
【０００８】
これにより、本発明は、入金処理直後に入金取消処理を行ったとき、直前に投入された紙幣をそのまま排出することができるため、顧客から受け取った紙幣をそのまま返却することができるという効果が得られる。
【図面の簡単な説明】
【０００９】
【図１】実施例１の自動釣銭機を示す外観斜視図
【図２】実施例１の自動釣銭機を示すブロック図
【図３】実施例１の紙幣入出金部の構成を示す説明図
【図４】紙幣収納庫における収納紙幣情報のテーブルを示す説明図
【図５】紙幣リジェクト庫における収納紙幣情報のテーブルを示す説明図
【図６】紙幣回収カセットにおける収納紙幣情報のテーブルを示す説明図
【図７】入金取消処理の確認を促す取消処理確認画面例
【発明を実施するための最良の形態】
【００１０】
以下に、図面を参照して本発明による自動釣銭機の実施例を説明する。
【実施例１】
【００１１】
図１は実施例１の自動釣銭機を示す外観斜視図である。
【００１２】
図１において、１は自動釣銭機であり、紙幣および硬貨の入出金処理を行うものである。
【００１３】
この自動釣銭機１はＰＯＳレジスタ１５と相互に通信可能に接続されていて、ＰＯＳレジスタ１５によって紙幣および硬貨の入出金管理が行なわれる。
【００１４】
また、自動釣銭機１は、硬貨の入出金を行うための硬貨入出金部２と、紙幣の入出金を行うための紙幣入出金部３とによって構成されている。
【００１５】
４は硬貨入金口であり、入金する硬貨を投入する入金口である。この硬貨入金口４から硬貨を投入するとその硬貨は硬貨入出金部２内に引き込まれて金種別に振り分けられて図示しない硬貨収納庫に収納される。
【００１６】
５は硬貨出金口であり、出金する硬貨を蓄積する出金口である。硬貨の釣銭が必要なときは硬貨入出金部２内に収納された硬貨をこの硬貨出金口５に払い出す。
【００１７】
６は硬貨リジェクト口であり、硬貨入金口４に投入された硬貨を硬貨入出金部２内に引き込み鑑別した結果、１円、５円、１０円、５０円、１００円、５００円硬貨のいずれでもないと判断したリジェクト硬貨を返却する返却口である。
【００１８】
８は紙幣入出金口であり、入金する紙幣を投入する紙幣投入口および出金する紙幣を蓄積する出金口である。この紙幣入出金口８に投入された紙幣は紙幣入出金部３内に引き込まれて金種別に振り分けられて後述する紙幣収納庫に収納される。
【００１９】
９は紙幣回収カセットであり、紙幣入出金部３内の紙幣収納庫４２ａ、４２ｂに収納した紙幣を回収するときにその紙幣を収納するカセットである。
【００２０】
１０は表示操作部であり、液晶ディスプレイ等の表示部とその表示部上に配されたタッチパネル等の操作部とからなり、自動釣銭機１への現金補充に関する操作者への操作案内を表示する他、操作者による入力操作等を受け付ける。
【００２１】
ＰＯＳレジスタ１５は、商品に付されているバーコードから商品の金額を読取る図示しないバーコード読取部を備えると共に、表示画面とその上に配されたタッチパネルからなるレジスタ表示操作部１６を備えており、表示画面に顧客が購入する商品の総額等やバーコードの付されていない商品の金額を入力するためのテンキー等の入力キーを表示し、その入力キーをタッチパネル上から押下することで入力キーに定義された情報を入力できるものとなっている。
【００２２】
１７はレシート印字部であり、顧客が購入した商品の総額や顧客から預かった現金金額、顧客に支払う釣銭等を印字したレシートを発行する機能を有する。
【００２３】
図２は実施例１の自動釣銭機を示すブロック図である。
【００２４】
図２において、２０は制御部であり、記憶部２１に格納された制御プログラムに従って自動釣銭機１の各部を制御して各種処理を遂行すると共に、通信部２３によりＰＯＳレジスタ１５と通信可能に接続する。
【００２５】
２１は記憶部であり、制御プログラムを格納して制御部２０による処理結果を記憶する他、紙幣の金種をコード化したコード情報を格納する。
【００２６】
２２は紙幣入出金部３の抜き取り検知センサであり、例えば光学式のセンサ等によって構成され、紙幣入出金口８に出金した紙幣の抜き取りを検知する検知手段として機能する。
【００２７】
３０はＰＯＳレジスタのレジスタ制御部であり、レジスタ記憶部３１に格納された入出金管理の制御プログラムに従ってＰＯＳレジスタ１５の各部を制御して顧客が購入する商品の会計処理を遂行する。
【００２８】
３１はレジスタ記憶部であり、入出金管理の制御プログラムを格納する他、レジスタ制御部３０による処理結果を記憶する。
【００２９】
図３は実施例１の紙幣入出金部の構成を示す説明図である。
【００３０】
図３において、４０は紙幣搬送路であり、紙幣の上面に接するベルトと、紙幣の下面に接するベルトとの一対のベルト搬送機構等を備え、紙幣入出金口８から挿入された紙幣を紙幣鑑別部４１や紙幣収納庫４２ａ（第１の収納庫）、紙幣収納庫４２ｂ（第２の収納庫）、紙幣リジェクト庫４３、紙幣回収カセット９に搬送する機能を有する。また紙幣搬送路４０には紙幣の通過を検知するための図示しないセンサを複数配置し、さらに紙幣の搬送経路を切り替えるための図示しない搬送切替ブレードを紙幣搬送路の分岐合流部に配置している。
【００３１】
紙幣鑑別部４１は、紙幣入出金口８から搬送されてきた紙幣の金種や正損を鑑別する機能を有する。
【００３２】
紙幣収納庫４２ａ、４２ｂは、図示しないステージを有し、そのステージ上に紙幣を落下させ集積することで収納する収納庫であり、紙幣収納庫４２ａは千円券を収納し、紙幣収納庫４２ｂには５千円券、２千円券、１万円券を混在させて収納する。
【００３３】
また、紙幣収納庫４２ａ、４２ｂは、最上位に積まれている紙幣を紙幣搬送路４０に繰出すための図示しない紙幣繰出機構が設けられている。
【００３４】
なお、紙幣収納庫４２ａ、４２ｂは顧客に釣銭として用いる紙幣を収納する釣銭用紙幣収納庫としても運用されているものとし、釣銭用として予め準備された釣銭準備金である紙幣が係員によって収納される。
【００３５】
紙幣リジェクト庫４３は、出金取引において紙幣鑑別部４１で金種不明と鑑別された紙幣を収納する。
【００３６】
上述した記憶部２１は紙幣収納庫４２ａ、４２ｂと紙幣リジェクト庫４３、紙幣回収カセット９に収納する紙幣の金種や収納枚数等の情報からなる収納紙幣情報を記憶するテーブルを有しているものとする。
【００３７】
ここで、図４は紙幣収納庫における収納紙幣情報のテーブルを示す説明図であり、（ａ）は紙幣収納庫４２ａのテーブル構成、（ｂ）は紙幣収納庫４２ｂのテーブル構成を示し、図５は紙幣リジェクト庫における収納紙幣情報のテーブルを示す説明図、図６は紙幣回収カセットにおける収納紙幣情報のテーブルを示す説明図である。
【００３８】
記憶部２１が記憶する紙幣収納庫４２ａのテーブルは、図４（ａ）に示すように収納する紙幣の金種、つまり千円券であることを示す数字列のコードと、入金処理で収納した千円券の総枚数、出金取引や回収処理で紙幣収納庫４２ａから繰出した千円券の繰出枚数、繰出した千円券の内紙幣入出金口８まで搬送することで自動釣銭機１外に搬出した搬出枚数から構成される。
【００３９】
紙幣収納庫４２ｂのテーブルは、図４（ｂ）に示すように収納する紙幣の金種、つまり２千円券、５千円券、１万円券を示すそれぞれのコードに関連づけるようにして、入金処理で収納した紙幣枚数つまり２千円券、５千円券、１万円券の各々の総枚数、出金取引や回収処理で紙幣収納庫４２ｂから繰出した２千円券、５千円券、１万円券の各々の繰出枚数、繰出した紙幣の内紙幣入出金口８まで搬送することで自動釣銭機１外に搬出した２千円券、５千円券、１万円券の各々の搬出枚数から構成される。
【００４０】
紙幣リジェクト庫４３のテーブルは、図５に示すように、リジェクト紙幣であることを示すコードと、収納しているリジェクト紙幣の収納枚数とによって構成される。
【００４１】
紙幣回収カセット９のテーブルは、図６に示すように収納する紙幣の金種、つまり紙幣収納庫４２ａから回収される千円券、紙幣収納庫４２ｂから回収される２千円券、５千円券、１万円券の各紙幣の金種を示すコードと、回収処理によって収納した各金種の回収枚数とによって構成される。
【００４２】
なお、本実施例では図４、図５、図６に示すように千円券のコードを“０００４”、２千円券のコードを“０００３”、５千円券のコードを“０００２”、１万円券のコードを“０００１”、リジェクト紙幣のコードを“８００１”とする。
【００４３】
上述した構成の作用について説明する。
【００４４】
店舗のレジで顧客から商品を受け取ったＰＯＳレジスタ１５の係員がバーコード読取部に商品のバーコードを読取らせると、ＰＯＳレジスタ１５のレジスタ制御部３０はバーコード読取部で読取った商品総額をレジスタ記憶部３１に記憶すると共に、その商品総額をレジスタ表示操作部１６に表示する。
【００４５】
係員は、顧客に対して表示された商品総額の現金を伝えてその支払いを促す。
【００４６】
そして、係員は顧客から現金を受け取るとその現金の金額を確認し、その現金金額をレジスタ表示操作部１６によって入力する。なお、顧客から受け取った現金は自動釣銭機１に投入せずに係員側で一時預かるものとする。
【００４７】
レジスタ制御部３０は、入力された金額を入力金額としてレジスタ記憶部３１に記憶し、記憶している商品総額と入力金額とを読み出して入力金額から総額を差し引くことで釣銭計算を行い、算出した釣銭額を自動釣銭機１に送信する。
【００４８】
自動釣銭機１の制御部２０は、受信した釣銭額をもとに紙幣入出金部３によって紙幣収納庫４２ａ、４２ｂから紙幣を繰出して紙幣入出金口８に搬送して蓄積すると共に、硬貨入出金部２によって図示しない硬貨収納庫から硬貨を繰出し搬送して硬貨出金口５に払出す。
【００４９】
制御部２０は、紙幣入出金部３によって出金した金種ごとの紙幣枚数をもとに記憶部２１に記憶している紙幣収納庫４２ａ、４２ｂのテーブルの繰出枚数に繰出した紙幣の枚数を加算すると共に、搬出枚数に紙幣入出金口８まで搬送した紙幣の枚数を加算する。
【００５０】
一方、係員は紙幣入出金口８に蓄積している紙幣を抜き取って硬貨出金口５から硬貨を取ることで、顧客に渡す釣銭を受け取ってその釣銭を顧客に渡す。
【００５１】
次に、係員は顧客から受け取っていた現金を投入するが、ここでは紙幣のみを投入したものとして、紙幣の入金処理について説明する。
【００５２】
係員が紙幣入出金口８に紙幣を投入すると、制御部２０は紙幣搬送部４０によって投入された紙幣を紙幣鑑別部４１に搬送し、金種の鑑別を行って鑑別した金種に応じて紙幣を紙幣収納庫４２ａ、４２ｂのいずれかに搬送して収納する。
【００５３】
ここでは制御部２０は、紙幣鑑別部４１で鑑別した紙幣の金種のコードと紙幣収納庫４２ａ、４２ｂのテーブルとを照合し、その紙幣の搬送先を特定する。例えば紙幣が千円券であれば、千円券のコード“０００４”を記憶部２１に記憶している紙幣収納庫４２ａ、４２ｂのテーブルに含まれるコードと照合することで、紙幣収納庫４２ａのテーブルのコードと、千円券のコードが一致することを認識し、搬送先を紙幣収納庫４２ａと特定する。
【００５４】
同様にして紙幣が５千円券であれば、５千円券のコード“０００２”を記憶部２１に記憶している紙幣収納庫４２ａ、４２ｂのテーブルに含まれるコードと照合して、５千円券のコードが紙幣収納庫４２ｂのテーブルに含まれるコードと一致することを認識することで、搬送先を紙幣収納庫４２ｂと特定する。
【００５５】
このようにして、鑑別した紙幣を各紙幣収納庫４２ａ、４２ｂに分けて収納する。
【００５６】
次に、入金処理直後に、その入金処理を取り消すと共に当該入金処理で収納した紙幣を排出する入金取消処理を行った場合について説明する。
【００５７】
入金処理直後に入金取消処理を行う係員がＰＯＳレジスタ１５のレジスタ表示操作部１６によって入金取消処理を実行するための入力操作を行うと、レジスタ制御部３０は、レジスタ表示操作部１６の表示画面に直前の入金処理で収納した紙幣の金種と枚数を入力させる入力欄等を配した排出紙幣入力画面を表示する。
【００５８】
表示された排出紙幣入力画面に従って係員は、千円、２千円、５千円、１万円の内、直前の入金処理で収納され、入金取消処理で排出させる金種とその枚数とを入力すると、レジスタ制御部３０は入力された内容を排出現金情報としてレジスタ記憶部３１に記憶すると共に、その排出現金情報を自動釣銭機１に送信する。
【００５９】
ここで、排出紙幣情報の内容、つまり直前の入金処理で収納した紙幣は千円券、２千円券、５千円券、１万円券を各１枚であるものとする。
【００６０】
自動釣銭機１の制御部２０は、受信した返却紙幣情報に基づいて最初は直前の入金処理で収納した千円券を排出するために、紙幣収納庫４２ａから紙幣を１枚だけ繰出して紙幣鑑別部４１へ搬送し、紙幣鑑別部４１で紙幣を鑑別してその鑑別結果を記憶部２１に記憶し、当該紙幣を紙幣入出金口８に搬送する。
【００６１】
上記の動作によって、直前の入金処理で紙幣収納庫４２ａに収納した千円券１枚が繰出されてくる。
【００６２】
次に制御部２０は、直前の入金処理で収納した２千円券、５千円券、１万円券を排出するために、紙幣収納庫４２ｂから紙幣を３枚繰出して紙幣鑑別部４１へ搬送し、紙幣鑑別部４１で紙幣の鑑別を行い、鑑別結果を記憶部２１に記憶すると共に鑑別した紙幣を紙幣入出金口８に搬送する。
【００６３】
上記の動作に、直前の入金処理で紙幣収納庫４２ｂに収納した２千円券、５千円券、１万円券が各１枚繰出されてくる。
【００６４】
ここで、図７は入金取消処理の確認を促す取消処理確認画面例である。
【００６５】
制御部２０は、記憶部２１に記憶した各紙幣の鑑別結果を読み出し、その鑑別結果を排出紙幣鑑別結果電文としてＰＯＳレジスタ１５に送信する。
【００６６】
ＰＯＳレジスタ１５のレジスタ制御部３０は、受信した排出紙幣鑑別結果電文の内容と、レジスタ記憶部３１に記憶した排出現金情報とに基づいて、排出した紙幣の確認を促す取消処理確認画面をレジスタ表示操作部１６に表示する。
【００６７】
ここで、仮に鑑別結果から金種を鑑別した紙幣が千円券と５千円券、１万円券であって、２千円券についてはその金種が鑑別できなかった場合の取消処理確認画面は、図７に示すように、“入金取り消しで金種不明な紙幣がありました”等の係員に金種を鑑別できなかった紙幣があったことを報知する文言と、“取り消しの金額を押してください。”等の金額押下を促す文言を表示する。
【００６８】
さらに、取消処理確認画面には、レジスタ記憶部３１に記憶した排出現金情報に基づいて入金取り消し金額（１８，０００円）と、また排出指示の内容として紙幣の内訳（本実施例では千円券１枚、２千円券１枚、５千円券１枚、１万円券１枚となる。）を表示すると共に、排出指示を示す部分よりも右側に実際に排出された紙幣を示す排出結果を表示する。
【００６９】
なお、上記の取消処理確認画面に表示される排出結果は、本実施例では金種を鑑別した千円券、５千円券、１万円券はそれぞれ１枚とし、排出されているはずであるが、金種を鑑別しなかった２千円券の枚数は？？枚として表示する。
【００７０】
係員は、表示された取消処理確認画面の入金取り消し金額と内訳とを参考にして、実際に排出された紙幣を比べて金種不明の紙幣が内訳に含まれる紙幣であることを確認し、レジスタ表示操作部１６によって確認した旨の入力を行うと、その入力を認識したレジスタ制御部３０は入金取消処理を終了する。
【００７１】
以上説明したように、本実施例では、入金処理直後に入金取消処理を行うとき、排出する紙幣の金種とその枚数を係員に入力させ、その入力内容に従って２つの紙幣収納庫からそれぞれ紙幣を繰出して排出するので、入金処理で係員が顧客から受け取った紙幣のみを排出することとなり、入金処理で顧客が支払った紙幣と同じ紙幣を返却することができるようになるという効果を得ることができる。
【００７２】
入金処理直後に入金取消処理を行うとき、排出する紙幣の金種と枚数は、レジスタ制御部３０がレジスタ記憶部３１に記憶している直前の入金処理の入金情報（金種と枚数、合計金額等）を使用してもよく、また自動釣銭機１で保持している直前の入金処理の入金情報（金種と枚数、合計金額等）を使用してもよい。そのようにすることで排出する紙幣の金種と枚数を係員が入力しなくてもよい操作とすることができる。
【００７３】
また、１つの紙幣収納庫に２千円券、５千円券、１万円券を混在させて収納するようにしたことで紙幣収納庫を２つとすることができ、これによって自動釣銭機の小型化を図ることができる。
【符号の説明】
【００７４】
１    自動釣銭機
２    硬貨入出金部
３    紙幣入出金部
４    硬貨入金口
５    硬貨出金口
６    硬貨リジェクト口
８    紙幣入出金口
９    紙幣回収カセット
１０  表示操作部
１５  ＰＯＳレジスタ
１６  レジスタ表示操作部
１７  レシート印字部
２０  制御部
２１  記憶部
２２  抜き取り検知センサ
３０  レジスタ制御部
３１  レジスタ記憶部
４０  紙幣搬送路
４１  紙幣鑑別部
４２ａ、４２ｂ  紙幣収納庫
４３  紙幣リジェクト庫
【図１】
2010277485.tif 000003
【図２】
2010277485.tif 000004
【図３】
2010277485.tif 000005
【図４】
2010277485.tif 000006
【図５】
2010277485.tif 000007
【図６】
2010277485.tif 000008
【図７】
2010277485.tif 000009